(57)【要約】      （修正有）【課題】水道水を通水することによって、開放容器内の水溶性液体（強酸性水、殺菌水、殺虫剤、芳香剤、脱臭剤、洗浄剤、液肥、塩水、電解水、染色水、飲料水、温泉水、除草剤、融雪剤、染料等）を吸引しつつ混合しながら、有圧希釈混合水として吐出する機構を提供する。【解決手段】１本のダイヤフラムシャフト１１により互いに固定された２枚のダイヤフラム１３、１４と、ダイヤフラムシャフトとスライドブロック１２等を内包する切替室ＴＲと、ダイヤフラムの裏側にチャンバー１５，１６と、チャンバーを出た水道水用の水路ＭＷに逆止弁１７と、ダイヤフラムの表側にハウジング２２．２３と、ハウジングを出た被希釈液用の水路ＳＷに逆止弁２４を有し、ダイヤフラムの表裏２流路に設けられた逆止弁の後流ＭＷ，ＳＷに合流水路ＭＳＷを有する。【選択図】図１
2016073967.tif 000002
【特許請求の範囲】
【請求項１】
１本のダイヤフラムシャフトにより互いに固定された２枚のダイヤフラムと、
ダイヤフラムシャフトとスライドブロック等を内包する水圧の切替室と、
ダイヤフラムの裏側に水用のチャンバーと、
チャンバーを出た流路に逆止弁と、
ダイヤフラムの表側にハウジングと、
ハウジングを出た流路に逆止弁を有し、
ダイヤフラムの表裏２流路に設けられた逆止弁とその後流に合流管を有する、
ことを特徴とする希釈混合器。
【請求項２】
前記切替室に供給される流体が水道水等の圧力水である、
ことを特徴とする請求項１に記載の希釈混合器。
【請求項３】
水道水と被希釈液がそれぞれの流路を通じて流入する分離された経路を持ち、
水道水は供給口から切替室、チャンバー、逆止弁を経て合流管へ、
また被希釈液は吸入口からハウジング、逆止弁を経て合流管へ吐出される、
ことを特徴とする請求項１に記載の希釈混合器。
【発明の詳細な説明】
【技術分野】
【０００１】  この発明は、水溶性液体の希釈混合器に関する。
【背景技術】
【０００２】  水道水を利用する希釈混合器としては、ベンチュリー効果を利用して液体を吸引しつつ、水道水を開放容器に受け、電動ポンプ等を用いて混合液を圧送する仕組みのものが一般的に利用されている。【０００３】  電動ポンプは電気により駆動するが、希釈混合しながら散水、噴霧、圧送などを可能にする、電気が不要な希釈混合器が望まれている。
【先行技術文献】
【特許文献】
【０００４】
【特許文献１】特開２０１４−２５３５４号公報
【発明の概要】
【発明が解決しようとする課題】
【０００５】  水道水を通水することによって、開放容器内の水溶性液体（強酸性水、殺菌水、殺虫剤、芳香剤、脱臭剤、洗浄剤、液肥、塩水、電解水、染色水、飲料水、温泉水、除草剤、融雪剤、染料等）を吸引しつつ混合しながら、有圧希釈混合水として吐出する機構を提供する。【０００６】  本発明は上記事項に鑑みてなされたものであり、水道水の圧力を用いてポンプを駆動し、汲み上げた水溶性液体（被希釈液）を薄めるための希釈水としてその水道水が用いられ、ポンプ駆動により消費した圧力の残り分を含む圧力水として吐出され、ポンプで汲み上げられ吐出された被希釈液と合流し、配管内で混合され、有圧希釈混合水として散水、噴霧、圧送などを可能にする、電気が不要な希釈混合器を提供することにある。
【課題を解決するための手段】
【０００７】  本発明の希釈混合器は、
１本のダイヤフラムシャフト（１１）により互いに固定された２枚のダイヤフラム（１３、１４）と、
ダイヤフラムシャフト（１１）とスライドブロック（１２）等を内包する水圧の切替室（ＴＲ）と、
ダイヤフラム（１３，１４）の裏側に水用のチャンバー（１５，１６）と、
チャンバー（１５，１６）を出た流路に逆止弁ｍ（１７）と、
ダイヤフラム（１３，１４）の表側にハウジング（２２．２３）と、
ハウジング（２２．２３）を出た流路に逆止弁ｓ（２４）を有し、
ダイヤフラム（１３，１４）の表裏２流路に設けられた逆止弁ｍ（１７）と逆止弁ｓ（  ２４）の後流に合流水路を有する、
ことを特徴とする。【０００８】  また、前記希釈混合器は、
水道水（Ｍ）と被希釈液（Ｓ）それぞれの分離された経路を持ち、
水道水（Ｍ）は供給口（ＭＩＰ）から切替室（ＴＲ）、チャンバー（１５，１６）、逆  止弁ｗ（１７）を経て希釈水管（ＭＷ）へ、
また被希釈液（Ｓ）は吸入口（ＳＩＰ）からハウジング（２２，２３）、逆止弁ａｗ（  ２４）を経て合流管（ＭＳＷ）へ吐出される、
ことを特徴とする。
【発明の効果】
【０００９】  本発明に係る希釈混合器（１）は、動力として使用された後にエアを大気中に放出廃棄する「エア駆動ダイヤフラムポンプ」の機構に準ずるが、水圧を駆動源として用いることによって、ポンプ駆動後に、汲み上げた水溶性液体（被希釈液）を薄めるための希釈水として用い、合流管（ＭＳＷ）から希釈混合圧力水として吐出されることから、エア源や電源を必要としない。【００１０】  前記希釈混合器は、主にダイヤフラムと逆止弁とで構成されており、歯車やベーン、ケーシング、軸受、シールなどの摺動面を持たないため、圧力のロスが極めて少ない。
【図面の簡単な説明】
【００１１】
【図１】希釈混合器の図式図である。
【図２】希釈混合器の実施図である。
【発明を実施するための形態】
【００１２】  図を参照しつつ、本実施の形態に係る希釈混合器について説明する。希釈混合器（１）は、図１に示すように、切替室（ＣＲ）とバルブ（ＶＢＲ）とを備える。
【００１３】  切替室（ＣＲ）には、水道水供給口（ＭＩＰ）と逆止弁ｍ（１７）に繋がる流路とチャンバー（１５，１６）に繋がる流路があり、切替室（ＣＲ）左右両壁の孔をダイヤフラムシャフト（１１）が貫通している。
【００１４】  ダイヤフラムシャフト（１１）の切替室（ＣＲ）内にはスライドブロック（１２）が、室外の両端末部にはダイヤフラム（１３，１４）が取り付けられている。
【００１５】  切替室（ＣＲ）の外壁とダイヤフラム（１３，１４）の間にチャンバー（１５，１６）が、また、ダイヤフラム（１３，１４）を外気と遮断し覆う部品によってハウジング（２２，２３）が形成される。
【００１６】  ハウジング（２２，２３）は配管によってバルブ（ＶＢＲ）と接続される。
【００１７】  バルブ（ＶＢＲ）には４か所の小部屋があってそれぞれにバルブボール（２１ａ，２１ｂ，２１ｃ、２１ｄ）が入っている。被希釈液吸入口（ＳＩＰ）が開口しており、また被希釈液管（ＳＷ）吐出側は逆止弁ｓ（２４）と被希釈液（ＳＷ）を介して合流管（ＭＳＷ）に繋がっている。
【００１８】  切替室（ＣＲ）の後流は、逆止弁ｍ（１７）、水道管（ＭＷ）を経て合流管（ＭＳＷ）に到る。
【００１９】  希釈混合器（１）は、水道水供給口（ＭＩＰ）から水道水（Ｍ）が流入し、水圧によって作動を開始する。
【００２０】  まず、水道水供給口（ＭＩＰ）を通じて切替室（ＣＲ）に流入した水道水（Ｍ）は、その時のスライドブロック（１２）の位置によって、２か所のチャンバー（１５，１６）のうちいずれか一方に流入する。
【００２１】  例えばチャンバーａ（１５）に流入した水道水（Ｍ）の圧力によって、図１のダイヤフラムシャフト（１１）が左に移動し、ハウジングａ（２２）内の被希釈液（Ｓ）はバルブ（ＶＢＲ）内のバルブボールａ（２１ａ）を押し開き、逆止弁ｓ（２４）を介して被希釈液管（ＳＷ）から排出される。
【００２２】  同時にハウジングｂ（２３）内が負圧になりバルブ（ＶＢＲ）内のバルブボールｄ（２１ｄ）が開いて被希釈液吸入口（ＳＩＰ）から被希釈液（Ｓ）がハウジングｂ（２３）内に吸入される。
【００２３】  更にチャンバーｂ（１６）内の水道水（Ｍ）は逆止弁ｍ（１７）を介して水道管（ＭＷ）から吐出される。
【００２４】  逆に、チャンバーｂ（１６）に流入した水道水（Ｍ）の圧力によって、ダイヤフラムシャフト（１１）が右に押されると、ハウジングｂ（２３）内の被希釈液（Ｓ）がバルブ（ＶＢＲ）内のバルブボールｃ（２１ｃ）を押し開き、逆止弁ｓ（２４）を介して被希釈液管（ＳＷ）から排出される。
【００２５】  同時にハウジングａ（２２）内が負圧になりバルブ（ＶＢＲ）内のバルブボールｂ（２１ｂ）が開いて被希釈液吸入口（ＳＩＰ）から被希釈液（Ｓ）がハウジングａ（２２）内に吸入される。
【００２６】  更にチャンバーａ（１５）内の水道水（Ｍ）は逆止弁ｍ（１７）を介して水道管（ＭＷ）から吐出される。
【００２７】  逆止弁ｍ（１７）を通じて吐出されるチャンバー内の水道水（Ｍ）も、バルブ（ＶＢＲ）を通じて被希釈液管（ＳＷ）から排出される被希釈液（Ｓ）も、それぞれ圧力を保持しており、合流管（ＭＳＷ）を介して相互に圧力の影響を受けないために逆止弁ｍ（１７）と逆止弁ｓ（２４）を設けた。
【００２８】  逆止弁ｍ（１７）、逆止弁ｓ（２４）及び４個のバルブボール（２１ａ，２１ｂ，２１ｃ，２１ｄ）による逆止弁の集合体であるバルブ（ＶＢＲ）は、いずれも逆止弁としての機能を有していれば特にボール式に限定するものではない。
【００２９】    図２は、畜圧容器（３１）と噴霧ノズル（３１）による強酸性水の希釈水の蓄積とミスト噴霧の実施例を示す。給水用の水道管（ＭＷ）から水道水（Ｍ）を水道水供給口（ＭＩＰ）に送りこむと、切替室（ＣＲ）内のスライドブロック（１２）の位置によってチャンバーａ（１５）またはチャンバーｂ（１６）に水道水（Ｍ）が流入し水道水（Ｍ）がダイヤフラムシャフト（１１）を動かす。
【００３０】  水道水（Ｍ）の流入によって、ダイヤフラムシャフト（１１）は左右の移動を繰り返し、チャンバーｂ（１６）内の水道水（Ｍ）は逆止弁ｍ（１７）を介して水道管（ＭＷ）から吐出し、ハウジング（２２，２３）内に被希釈液吸入口（ＳＩＰ）から強酸性水を吸入し、被希釈液管（ＳＷ）から排出する。
【００３１】  逆止弁ｍ（１７）を通じて吐出されるチャンバー内の水道水（Ｍ）と、バルブ（ＶＢＲ）を通じて被希釈液管（ＳＷ）から排出される強酸性水は、それぞれ圧力を保持しており、合流管（ＭＳＷ）から吐出することによって、噴霧ノズル（３１）から希釈酸性水のミストを噴霧する。
【００３２】  同時に、畜圧容器（３２）内に有圧の希釈酸性水を蓄積する。
【００３３】  上記では、強酸性水の希釈水噴霧を例にとり説明したが、被散水物は牛、豚、鶏などの畜舎内外への殺菌水噴霧や、ハウス農業など種々のものが挙げられる。また、被散水物の殺菌用に限らず、液肥、水やり等、種々の用途に用いられ得る。
【００３４】  また、水道水（Ｍ）は、上質の圧力水あるいは有圧の温水であっても良く、水道事業に  よる上水に限定するものではない。
【００３５】  本発明は、本発明の広義の精神と範囲を逸脱することなく、様々な実施の形態及び変形が可能とされるものである。また、上述した実施の形態は、本発明を説明するためのものであり、本発明の範囲を限定するものではない。すなわち、本発明の範囲は、実施の形態ではなく、特許請求の範囲によって示される。そして、特許請求の範囲内及びそれと同等の発明の意義の範囲内で施される様々な変形が、本発明の範囲内とみなされる。
【符号の説明】
【００５１】  １    希釈混合器
１１    ダイヤフラムシャフト
１２    スライドブロック
１３    ダイヤフラムａ
１４    ダイヤフラムｂ
１５    チャンバーａ
１６    チャンバーｂ
１７    逆止弁ｗ
２１ａ  バルブボールａ
２１ｂ  バルブボールｂ
２１ｃ  バルブボールｃ
２１ｄ  バルブボールｄ
２２    ハウジングａ
２３    ハウジングｂ
２４    逆止弁ａｗ
３１    噴霧ノズル
３２    畜圧容器
Ｍ      水道水
Ｓ      被希釈液
ＭＩＰ  供給口（水道水）
ＳＩＰ  吸入口（被希釈液）
ＭＷ    水路（水道水）
ＳＷ    水路（被希釈液）
ＭＳＷ  水路（希釈混合水）
ＳＴ    容器（被希釈液）
ＴＲ    切替室
ＶＢＲ  バルブ
【図１】
2016073967.tif 000003
【図２】
2016073967.tif 000004